(57)【要約】【課題】端末着呼処理、テスト方法及び長期進化システムを提供する。【解決手段】該方法は、長期進化システムＬＴＥのネットワーク側が、ページングメッセージをＬＴＥセルに駐留している回線交換サービスの着呼がある端末に送信し、端末がネットワーク側と無線リソース制御接続を確立し、端末がネットワーク側に回線交換サービスの構築を要請するためのメッセージを送信し、ネットワーク側が端末に端末がリダイレクトすべきグローバル移動通信ＧＳＭセルの搬送波周波数情報を明示し、端末がＧＳＭセルにチャネル要請メッセージを送信し、端末がＧＳＭセルにてルーティング更新を行い、端末がＧＳＭセルにページング応答メッセージを送信し、端末がＧＳＭセルにて回線交換サービスを構築するステップを含む。本発明によると、ＬＴＥセルに駐留している端末に回線交換サービスの着呼がある場合、対応するネットワークのセルに戻って当該回線交換サービスを構築することができる。【選択図】図１
2013526133.tif 000002
【特許請求の範囲】
【請求項１】
長期進化システムＬＴＥのネットワーク側が、ページングメッセージをＬＴＥセルに駐留している回線交換サービスの着呼がある端末に送信し、
前記端末が前記ネットワーク側と無線リソース制御接続を確立し、
前記端末が前記ネットワーク側に前記回線交換サービスの構築を要請するためのメッセージを送信し、
前記ネットワーク側が前記端末に、前記端末がリダイレクトすべきグローバル移動通信ＧＳＭセルの搬送波周波数情報を明示し、
前記端末が前記ＧＳＭセルにチャネル要請メッセージを送信し、
前記端末が前記ＧＳＭセルにてルーティング更新を行い、
前記端末が前記ＧＳＭセルにページング応答メッセージを送信し、
前記端末が前記ＧＳＭセルにて前記回線交換サービスを構築するステップを含む端末着呼処理方法。
【請求項２】
前記ネットワーク側が前記ＧＳＭセルの搬送波周波数情報を明示することは、
前記ネットワーク側が前記端末に、前記ＧＳＭセルの搬送波周波数情報を含んだ無線リソース制御接続リリースメッセージを送信することを含む請求項１に記載の方法。
【請求項３】
前記無線リソース制御接続リリースメッセージに、前記ＧＳＭセルの搬送波周波数情報を明示するリダイレクトメッセージ又はアイドル状態での移動制御メッセージを含む請求項２に記載の方法。
【請求項４】
前記端末が前記ネットワーク側に前記回線交換サービスの構築を要請するためのメッセージを送信することが、
前記端末が前記ネットワーク側に送信するアップリンク情報転送メッセージに、前記回線交換サービスの構築を要請するための拡張サービス要請メッセージを含むことを含む請求項１に記載の方法。
【請求項５】
長期進化システムＬＴＥのネットワーク側がページングメッセージをＬＴＥセルに駐留している回線交換サービスの着呼がある端末に送信し、
前記端末が前記ネットワーク側と無線リソース制御接続を確立し、
前記端末が前記ネットワーク側に前記回線交換サービスの構築を要請するためのメッセージを送信したか否かを検知し、送信していないと、テストに失敗し、
前記ＬＴＥネットワーク側が、前記端末がリダイレクトすべきＧＳＭセルの搬送波周波数情報を明示し、
前記端末が前記ＧＳＭセルにてチャネル要請メッセージを送信したか否かを検知し、送信していないと、テストに失敗し、
前記端末が前記ＧＳＭセルにてルーティング更新を行い、
前記端末が前記ＧＳＭセルにてルーティング更新を行った後、前記ＧＳＭセルにページング応答メッセージを送信したか否かを検知し、送信していないと、テストに失敗するステップを含む端末着呼テスト方法。
【請求項６】
前記端末が前記ネットワーク側に前記回線交換サービスの構築を要請するためのメッセージを送信したか否かを検知することが、
前記端末が前記ネットワーク側にアップリンク情報転送メッセージを送信したか否か、及び前記アップリンク情報転送メッセージに前記回線交換サービスの構築を要請するための拡張サービス要請メッセージを含んだか否かを検知することを含む請求項５に記載の方法。
【請求項７】
システムシミュレータが前記ＬＴＥのセルと前記ＧＳＭセルをシミュレーションする請求項５又は６に記載の方法。
【請求項８】
前記端末が前記ＬＴＥのセル又は前記ＧＳＭセルのインターフェースを介して前記システムシミュレータに接続される請求項７に記載の方法。
【請求項９】
ネットワーク側と端末とを備える長期進化システムであって、
前記ネットワーク側は、ページングメッセージをＬＴＥセルに駐留している回線交換サービスの着呼がある前記端末に送信し、前記端末が前記ネットワーク側と無線リソース制御接続を確立するように構成され、
前記端末は、前記ネットワーク側に前記回線交換サービスの構築を要請するためのメッセージを送信するように構成され、
前記ネットワーク側は、前記端末がリダイレクトすべきグローバル移動通信ＧＳＭセルの搬送波周波数情報を明示し、
前記端末は、前記ＧＳＭセルにチャネル要請メッセージを送信するように構成され、
前記端末は、また、前記ＧＳＭセルにてルーティング更新を行うように構成され、
前記端末は、また、前記ＧＳＭセルにページング応答メッセージを送信するように構成され、
前記端末は、また、前記ＧＳＭセルにて前記回線交換サービスを構築するように構成される長期進化システム。
【発明の詳細な説明】
【技術分野】
【０００１】
本発明は、通信分野に関し、具体的には、端末着呼処理、テスト方法及び長期進化システム（Long  Time  Evolution、以下ＬＴＥと略称）に関する。
【背景技術】
【０００２】
ＬＴＥは、第３世代パートナーシップ・プロジェクト（3rd  Generation  Partnership  Project、以下３ＧＰＰと略称）の研究プロジェクトとして、既に完全な無線通信基準を形成していて、世界範囲において普及されている。
【０００３】
しかし、ＬＴＥは回線交換（Circuit  Switch、以下ＣＳと略称）サービスを支援しないので、端末はＬＴＥセルにてＣＳの発呼を直接確立することができない。端末がＬＴＥのセルに駐留し、この時、該端末に回線交換サービスの着呼があると、ＬＴＥシステムは該回線交換サービスの発呼を処理することができず、発呼に失敗してしまう。
【発明の概要】
【発明が解決しようとする課題】
【０００４】
本発明は、前記問題を解決できる端末着呼処理案を提供することを目的とする。
【課題を解決するための手段】
【０００５】
本発明の一態様によると、長期進化システムＬＴＥのネットワーク側が、ページングメッセージをＬＴＥセルに駐留している回線交換サービスの着呼がある端末に送信し、端末がネットワーク側と無線リソース制御接続を確立し、端末がネットワーク側に回線交換サービスの構築を要請するためのメッセージを送信し、ネットワーク側が端末に端末がリダイレクトすべき世界移動通信ＧＳＭセルの搬送波周波数情報を明示し、端末がＧＳＭセルにチャネル要請メッセージを送信し、端末がＧＳＭセルにてルーティング更新を行い、端末がＧＳＭセルにページング応答メッセージを送信し、端末がＧＳＭセルにて回線交換サービスを構築するステップを含む端末着呼処理方法を提供する。
【０００６】
ネットワーク側がＧＳＭセルの搬送波周波数情報を明示することが、ネットワーク側が端末に、ＧＳＭセルの搬送波周波数情報を携帯した無線リソース制御接続リリースメッセージを送信することを含むことが好ましい。
【０００７】
無線リソース制御接続リリースメッセージに、ＧＳＭセルの搬送波周波数情報を明示するリダイレクトメッセージ又はアイドル状態での移動制御メッセージを含むことが好ましい。
【０００８】
端末がネットワーク側に回線交換サービスの構築を要求するためのメッセージを送信することが、端末がネットワーク側に送信するアップリンク情報転送メッセージに、回線交換サービスの構築を要求するための拡張サービス要求メッセージを含むことを含むことが好ましい。
【０００９】
本発明のもう一態様によると、長期進化システムＬＴＥのネットワーク側がページングメッセージをＬＴＥセルに駐留している回線交換サービスの着呼がある端末に送信し、端末がネットワーク側と無線リソース制御接続を確立し、端末がネットワーク側に回線交換サービスの構築を要請するためのメッセージを送信したか否かを検知し、送信していないと、テストに失敗し、ＬＴＥネットワーク側が端末がリダイレクトすべきＧＳＭセルの搬送波周波数情報を明示し、端末がＧＳＭセルにてチャネル要請メッセージを送信したか否かを検知し、送信していないと、テストに失敗し、端末がＧＳＭセルにてルーティング更新を行い、端末がＧＳＭセルにてルーティング更新を行った後ＧＳＭセルにページング応答メッセージを送信したか否かを検知し、送信していないと、テストに失敗するステップを含む端末着呼テスト方法を提供する。
【００１０】
端末がネットワーク側に回線交換サービスの構築を要求するためのメッセージを送信したか否かを検知することが、端末がネットワーク側にアップリンク情報転送メッセージを送信したか否か、及びアップリンク情報転送メッセージに回線交換サービスの構築を要求するための拡張サービス要請メッセージを含んだか否かを検知することを含むことが好ましい。
【００１１】
システムシミュレータがＬＴＥのセルとＧＳＭセルをシミュレーションすることが好ましい。
【００１２】
端末がＬＴＥのセル又はＧＳＭセルのインターフェースを介してシステムシミュレータに接続されることが好ましい。
【００１３】
本発明のもう一態様によると、ネットワーク側と端末とを備える長期進化システムを提供し、ネットワーク側は、ページングメッセージをＬＴＥセルに駐留している回線交換サービスの着呼がある端末に送信し、端末がネットワーク側と無線リソース制御接続を確立するように構成され、端末は、ネットワーク側に回線交換サービスの構築を要請するためのメッセージを送信するように構成され、ネットワーク側は端末がリダイレクトすべきグローバル移動通信ＧＳＭセルの搬送波周波数情報を明示し、端末はＧＳＭセルにチャネル要請メッセージを送信するように構成され、また、端末はＧＳＭセルにてルーティング更新を行うように構成され、端末は、またＧＳＭセルにページング応答メッセージを送信するように構成され、端末は、またＧＳＭセルにて回線交換サービスを構築するように構成される。
【発明の効果】
【００１４】
本発明によると、ＬＴＥのネットワーク側が端末にＧＳＭセルの搬送波周波数情報を送信し、端末がＧＳＭセルにて回線交換サービスを構築する。関連技術においてＬＴＥセルに駐留している端末に回線交換サービスの着呼がある場合、ＬＴＥが処理できないために発呼に失敗してしまう問題を解決し、ＬＴＥセルに駐留している端末に回線交換サービスの着呼がある場合、対応するネットワークのセルに戻って当該回線交換サービスを構築することができる。
【図面の簡単な説明】
【００１５】
ここで説明する図面は本発明を理解するためのもので、本発明の一部を構成し、本発明における実施例と共に本発明を解釈し、本発明を不当に限定するものではない。
【図１】本発明の実施例１に係わる端末着呼処理方法を示すフローチャートである。
【図２】本発明の実施例１に係わる端末着呼処理方法を示す好適なフローチャートである。
【図３】本発明の実施例２に係わる端末着呼テスト方法を示すフローチャートである。
【図４】本発明の実施例２に係わる端末着呼テスト方法を示す好適なフローチャートである。
【発明を実施するための形態】
【００１６】
以下、図面を参照しつつ実施例に合わせ、本発明を詳しく説明する。ここで、互いに矛盾しない限り、本発明の実施例及び実施例中の特徴を互いに結合することができる。
【００１７】
以下の実施例において、端末はＬＴＥセルに駐留し、端末が待機状態（又はアイドル状態）である場合、回線交換サービスの着呼がある。
【００１８】
実施例１
図１は、本発明の実施例１に係わる端末着呼処理方法を示すフローチャートで、以下のステップを含む。
当該ＬＴＥセルに駐留している端末に、回線交換サービスの着呼がある（ステップＳ１０２）。
【００１９】
ネットワーク側は、端末との間に無線リソース制御（Radio  Resource  Control、以下ＲＲＣと略称）接続を確立する（ステップＳ１０４）。
【００２０】
端末は、ネットワーク側に回線交換サービスの構築を要請するためのメッセージを送信する（ステップＳ１０６）。
【００２１】
ネットワーク側は、端末に当該端末がリダイレクトすべきグローバル移動通信（Global  system  for  Mobile  Communication、以下ＧＳＭと略称）セルの搬送波周波数情報を送信する（即ち、ＧＳＭセルの搬送波周波数情報を明示する）（ステップＳ１０８）。
【００２２】
端末は、ＧＳＭセルにて回線交換サービスを構築する（ステップＳ１１０）。ＧＳＭセルにて回線交換サービスを構築することが、端末がＧＳＭセルにチャネル要請メッセージを送信し、端末がＧＳＭセルにてルーティング更新を行い、端末がＧＳＭセルにてページング応答メッセージ（paging  response  message）を送信し、端末がＧＳＭセルにて回線交換サービスを構築することを含むことが好ましい。
【００２３】
前記ステップによって、ＬＴＥセルに駐留している端末は、回線交換サービスの着呼がある場合、対応するネットワークのセルに戻って当該回線交換サービスを構築することができる。
【００２４】
ネットワーク側が端末に無線リソース制御接続リリースメッセージを送信することが好ましく、その中、無線リソース制御接続リリースメッセージはＧＳＭセルの搬送波周波数情報を含む。当該ＲＲＣ接続リリースメッセージによって、端末が当該メッセージを受信した後、ＧＳＭセルの搬送波周波数情報を取得できる一方、当該端末がＬＴＥでのＲＲＣ接続をリリースすることができる。そして、他のメッセージを用いて当該端末にＧＳＭセルの搬送波周波数情報を通知することもできるが、他のメッセージを用いるとＲＲＣ接続リリースメッセージより不便である。ここで、無線リソース制御接続リリースメッセージにリダイレクトメッセージ又はアイドル状態での移動制御メッセージを含むことができ、当該リダイレクトメッセージ又はアイドル状態での移動制御メッセージは、ＧＳＭセルの搬送波周波数情報を含む（即ち、ＧＳＭセルの搬送波周波数情報を明示する）。
【００２５】
端末が、ネットワーク側に送信するアップリンク情報転送メッセージに拡張サービス要請メッセージを含むことが好ましく、その中、拡張サービス要請メッセージは回線交換サービスの構築を要請するためのものである。ここで、他のメッセージを介してネットワーク側に通知することもできるが、拡張サービス要請メッセージの方が比較的に簡単である。
【００２６】
ネットワーク側が端末にページング（Paging）メッセージを送信することが好ましく、その中、当該ページングメッセージに端末に回線交換サービスの着呼があることを指示するための情報を含む。
【００２７】
前記説明に対応し、本実施例によると長期進化システムを提供し、該システムは、ネットワーク側と、端末と、を備え、その中、ネットワーク側はページングメッセージをＬＴＥセルに駐留する回線交換サービスの着呼がある端末に送信するように構成され、端末は、ネットワーク側と無線リソース制御接続を確立し、端末は、ネットワーク側に回線交換サービスの構築を要請するためのメッセージを送信するように構成され、ネットワーク側は、また、端末に端末がリダイレクトすべきグローバル移動通信ＧＳＭセルの搬送波周波数情報を送信するように構成され、端末はまた、ＧＳＭセルにチャネル要請メッセージを送信するように構成され、端末はまた、ＧＳＭセルにてルーティングを更新するように構成され、端末はまた、ＧＳＭセルにページング応答メッセージを送信するように構成され、端末はまた、ＧＳＭセルにて回線交換サービスを構築するように構成される。
【００２８】
図２は、本発明の実施例１に係わる端末着呼処理方法の好適なフローチャートで、以下のステップを含む。
ＬＴＥネットワーク側は、ページングメッセージを端末に送信する（ステップＳ２０１）。
【００２９】
端末は、応答ページングメッセージを送信し、無線リソース制御接続要請（RRC  Connection  Request）メッセージをＬＴＥネットワーク側に送信する（ステップＳ２０２）。
【００３０】
ＬＴＥネットワーク側は、ＲＲＣ接続確立（RRC  Connection  Setup）メッセージを端末に送信する（ステップＳ２０３）。
【００３１】
端末は、ＲＲＣ接続確立完成（RRC  Connection  Setup  Complete）メッセージをＬＴＥネットワーク側に送信する（ステップＳ２０４）。
【００３２】
端末は、アップリンク情報転送（UL  Information  Transfer）メッセージをＬＴＥネットワーク側に送信し（ステップＳ２０５）、その中、端末が送信するUL  information  TransferメッセージにEXTENDED  SERVICE  REQUEST（拡張サービス要請）メッセージを含み、サービスの構築を要請する。
【００３３】
ＬＴＥセルは、端末がＧＳＭネットワークに戻って着呼に応答する必要があると確定し、ＬＴＥネットワーク側はＲＲＣ接続リリース（RRC  Connection  Release）メッセージを端末に送信し、RRC  Connection  Releaseメッセージにリダイレクト情報（Redirection  Information）を含み、ＧＳＭセル搬送波周波数を明示する（ステップＳ２０６）。
【００３４】
端末は、前記ＧＳＭ搬送波周波数が明示されたセルを再び選択し、当該ＧＳＭセルにチャネル要請（Channel  Request）メッセージを送信する（ステップＳ２０７）。
【００３５】
端末は、ＧＳＭセルにてルーティング更新（Routing  Area  Updating）を行う（ステップＳ２０８）。
【００３６】
端末は、ページング応答（Paging  Response）メッセージをＧＳＭセルに送信する（ステップＳ２０９）。
【００３７】
端末は、ＧＳＭセルにて端末に着呼がある回線交換音声サービスを構築する（ステップＳ２１０）。
【００３８】
ステップＳ２０８において、端末がＧＳＭセルにてルーティング更新を行うステップが、以下のステップを含む。
端末がルーティング更新要請を送信する（ステップａ１）。
【００３９】
端末は、ネットワークと認証及び暗号化を行う（ステップｂ１）。
【００４０】
ネットワークは、ルーティング更新受付メッセージを端末に送信する（ステップｃ１）。
【００４１】
端末は、ネットワークにルーティング更新完成メッセージを送信する（ステップｄ１）。
【００４２】
ステップＳ２１０において、端末がＧＳＭセルにて端末に着呼がある回線交換音声サービスを構築するステップは以下のステップを含む。
端末とネットワークとの間で認証と暗号化を行う（ステップａ２）。
【００４３】
ネットワークは、確立（SET  UP）メッセージを端末に送信する（ステップｂ２）。
【００４４】
端末は、発呼確認メッセージ（CALL  CONFIRM）を返信する（ステップｃ２）。
【００４５】
ネットワークは、接続（CONNECT）メッセージを端末に送信する（ステップｄ２）。
【００４６】
端末は、警報（ALERTING）メッセージをネットワークに送信し、警報を出す（ステップｅ２）。
【００４７】
端末は、発呼要請を受信する（ステップｆ２）。
【００４８】
端末は、接続メッセージをネットワークに送信する（ステップｇ２）。
【００４９】
ネットワークは、任務コマンド（ASSIGNMENT  COMMAND）メッセージを端末に送信する（ステップｈ２）。
【００５０】
端末は、任務完成（ASSIGNMENT  COMPLETE）メッセージをネットワークに送信する（ステップｉ２）。
【００５１】
双方向の転送ルートが確立され、ネットワークは端末に接続確認（CONNECT  ACKNOWLEDGE）メッセージを送信する（ステップｊ２）。
【００５２】
実施例２
本実施例によると実施例１に提供される技術案のテスト案を提供し、ここで、実施例１における全てのメッセージを検知することができ、当該メッセージを送信及び/又は受信したか否かを検知し、検知結果をフィードバックする。本実施例によって提供されるテスト方法は比較的に重要なメッセージを検知し、最低のテストプロセスでネットワークの正常動作を保証できる。本実施例に提供されるテスト方法は実際のネットワークに応用できると共に、シミュレーションシステムにも応用でき、シミュレーションシステムに応用する場合、端末はＧＳＭ又はＬＴＥ無線インターフェースを介してシステムシミュレータに接続され、システムシミュレータはＬＴＥセルとＧＳＭセルをシミュレーションし、受信した端末メッセージに基づいて端末の能力を検証する。
【００５３】
図３は、本発明の実施例２に係わる端末着呼テスト方法を示すフローチャートで、以下のステップを含む。
ＬＴＥのセルに駐留している端末に回線交換サービスの着呼がある（ステップＳ３０２）。
【００５４】
ネットワーク側は、端末と無線リソース制御接続を確立する（ステップＳ３０４）。
【００５５】
端末がネットワーク側に回線交換サービスの構築を要請するためのメッセージを送信したか否かを検知し、送信していないと、テストに失敗する（ステップＳ３０６）。
【００５６】
当該ステップにおいて、ネットワーク側は端末に当該端末がリダイレクトすべきＧＳＭセルの搬送波周波数情報を送信する。
【００５７】
端末がセル情報に対応するセルに回線交換サービスを構築したか否かを検知し、回線交換サービスの構築に失敗していると、テストに失敗する（ステップＳ３０８）。その中、回線交換サービスの構築の検知は、端末がセル情報に対応するセルにてチャネル要請メッセージを送信したか否かを検知し、送信していないと、回線交換サービスの構築に失敗した。
【００５８】
端末がネットワーク側にアップリンク情報転送メッセージを送信したか否か、及びアップリンク情報転送メッセージに拡張サービス要請メッセージを含んだか否かを検知することが好ましく、その中、拡張サービス要請メッセージは回線交換サービスの構築を要請するためのものである。検知できないと、テストに失敗する。
【００５９】
ステップＳ３０８において、端末がセルにてルーティング更新を行った後、セルにページング応答メッセージを送信したか否かを検知し、送信していないと、回線交換サービスの構築に失敗した。
【００６０】
以下、ＧＳＭセルにて端末に回線交換サービスの発呼を発する場合を例に説明する。図４は、本発明の実施例２に係わる端末着呼テスト方法の好適なフローチャートで、以下のステップを含む。
システムシミュレータは、ＬＴＥセルにてページングメッセージを端末に送信する（ステップＳ４０１）。
【００６１】
端末は、ＬＴＥセルにＲＲＣ接続要請メッセージを送信する（ステップＳ４０２）。
【００６２】
システムシミュレータは、ＬＴＥセルにてＲＲＣ接続確立メッセージを送信する（ステップＳ４０３）。
【００６３】
端末は、ＬＴＥセルにＲＲＣ接続確立完成メッセージを送信する（ステップＳ４０４）。
【００６４】
端末がＬＴＥセルにアップリンク情報転送メッセージを送信したか否かを検知し、送信していると、次のステップを実行し、当該メッセージを送信していないと検知された場合、テストに失敗する（ステップＳ４０５）。
【００６５】
システムシミュレータは、ＬＴＥセルにてＲＲＣ接続リリースメッセージを端末に送信し、ＲＲＣ接続リリースメッセージにリダイレクト情報を含み、ＧＳＭセル搬送波周波数を明示する（ステップＳ４０６）。
【００６６】
端末がＧＳＭセルにチャネル要請メッセージを送信したか否かを検知し、送信した場合、次のステップを実行し、当該メッセージを送信していないと検知された場合、テストに失敗する（ステップＳ４０７）。
【００６７】
端末は、ＧＳＭセルにてルーティング更新を行う（ステップＳ４０８）。
【００６８】
端末がＧＳＭセルにページング応答メッセージを送信したか否かを検知し、送信した場合、テストに成功し、送信していないとテストに失敗する（ステップＳ４０９）。
【００６９】
ステップＳ４０５において、端末が送信するアップリンク情報転送メッセージに拡張サービス要請メッセージを含み、サービスの構築を要請する。この場合、当該アップリンク情報転送メッセージに拡張サービス要請メッセージを含んだか否かを検知し、含んでいないとテストに失敗し、含んでいるとテストに成功する。
【００７０】
上述のように、本発明の前記実施例によると、関連技術においてＬＴＥセルに駐留する端末に回線交換サービスの着呼がある場合、ＬＴＥが処理することができないために発呼失敗してしまう問題を解決し、ＬＴＥセルに駐留する端末に回線交換サービスの着呼がある場合、対応するネットワークのセルに戻って、当該回線交換サービスを構築できる。また、有効にテストすることもできる。
【００７１】
当業者にとっては、前記本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【００７２】
以上は、本発明の好適な実施例に過ぎず、本発明を限定するものではない。当業者であれば、本発明に様々な修正や変形が可能である。本発明の精神や原則内での如何なる修正、置換、改良などは本発明の保護範囲内に含まれる。
【図１】
2013526133.tif 000003
【図２】
2013526133.tif 000004
【図３】
2013526133.tif 000005
【図４】
2013526133.tif 000006
【国際調査報告】
2013526133.tif 000007
2013526133.tif 000008
2013526133.tif 000009
2013526133.tif 000010